(57)【特許請求の範囲】
【請求項１】
被加熱物を加熱するための加熱室と、
上記加熱室に供給する蒸気を発生する蒸気発生装置と、
上記蒸気発生装置に供給するための水を貯える給水タンクと、
上記加熱室の下側に配置され、矩形状の底面部とその底面部の外周を囲むように立設された周壁部を有する本体ケーシングの底板と
を備え、
上記底板の上記周壁部の前面側に、上記給水タンクが挿入可能なタンク挿入口を設け、
上記底板は、上記タンク挿入口を介して挿入された状態の上記給水タンクに対向する上記底面部の領域内に設けられた第１貯水部を有することを特徴とする加熱調理器。
【請求項２】
請求項１に記載の加熱調理器において、
上記底板内に上記タンク挿入口を介して挿入された上記給水タンクの接続口に一端が接続される給水経路を備え、
上記底板は、
上記タンク挿入口を介して挿入された状態の上記給水タンクに隣接する外側領域、かつ、上記給水タンクと上記給水経路との接続部分または上記給水経路の少なくとも一方の下側に設けられた引水凹部を有することを特徴とする加熱調理器。
【請求項３】
請求項１または２に記載の加熱調理器において、
上記底板内に上記タンク挿入口を介して挿入された上記給水タンクを収納するタンク収納部を備え、
上記タンク収納部内の底部に第２貯水部を設けたことを特徴とする加熱調理器。
【請求項４】
請求項１または２に記載の加熱調理器において、
上記底板内に上記タンク挿入口を介して挿入された上記給水タンクを収納するタンク収納部を備え、
上記タンク収納部内の後壁面に、上記給水タンクの接続口が接続される接続部を設けると共に、
上記タンク収納部内の後壁面かつ上記接続部よりも低い位置に第３貯水部を設けたことを特徴とする加熱調理器。
【発明の詳細な説明】
【技術分野】
【０００１】
この発明は、加熱調理器に関する。
【背景技術】
【０００２】
従来、加熱調理器としては、蒸気発生装置に供給するための水を貯える給水タンクと、加熱室の前面側と扉との間に滴下する水滴を受ける露受容器とを本体ケーシングの前面下側に配置したものがある(例えば、特開２０１４−５２１８５号公報(特許文献１)参照)。
【先行技術文献】
【特許文献】
【０００３】
【特許文献１】特開２０１４−５２１８５号公報
【発明の概要】
【発明が解決しようとする課題】
【０００４】
ところで、上記加熱調理器では、露受容器の下側に給水タンクが配置され、給水タンクと加熱調理器本体の下側の設置面との間に何もないため、給水タンクからの漏水は、露受容器に受けることができずに、そのまま下側の設置面に漏れ出してしまうという問題がある。
【０００５】
そこで、この発明の課題は、給水タンクからの漏水を底板で受けることができる加熱調理器を提供することにある。
【課題を解決するための手段】
【０００６】
上記課題を解決するため、この発明の加熱調理器は、
被加熱物を加熱するための加熱室と、
上記加熱室に供給する蒸気を発生する蒸気発生装置と、
上記蒸気発生装置に供給するための水を貯える給水タンクと、
上記加熱室の下側に配置され、矩形状の底面部とその底面部の外周を囲むように立設された周壁部を有する本体ケーシングの底板と
を備え、
上記底板の上記周壁部の前面側に、上記給水タンクが挿入可能なタンク挿入口を設け、
上記底板は、上記タンク挿入口を介して挿入された状態の上記給水タンクに対向する上記底面部の領域内に設けられた第１貯水部を有することを特徴とする。
【０００７】
また、一実施形態の加熱調理器では、
上記底板内に上記タンク挿入口を介して挿入された上記給水タンクの接続口に一端が接続される給水経路を備え、
上記底板は、
上記タンク挿入口を介して挿入された状態の上記給水タンクに隣接する外側領域、かつ、上記給水タンクと上記給水経路との接続部分または上記給水経路の少なくとも一方の下側に設けられた引水凹部を有する。
【０００８】
【０００９】
また、一実施形態の加熱調理器では、
上記底板内に上記タンク挿入口を介して挿入された上記給水タンクを収納するタンク収納部を備え、
上記タンク収納部内の底部に第２貯水部を設けた。
【００１０】
また、一実施形態の加熱調理器では、
上記底板内に上記タンク挿入口を介して挿入された上記給水タンクを収納するタンク収納部を備え、
上記タンク収納部内の後壁面に、上記給水タンクの接続口が接続される接続部を設けると共に、
上記タンク収納部内の後壁面かつ上記接続部よりも低い位置に第３貯水部を設けた。
【発明の効果】
【００１１】
以上より明らかなように、この発明によれば、加熱室の下側に配置された底板の周壁部の前面側にタンク挿入口が設けられ、給水タンクが前面側からタンク挿入口を介して挿入された状態で、給水タンクの下側に底板の底面部があるので、簡単な構成で給水タンクからの漏水を底板で受けることができる加熱調理器を実現することができる。
【図面の簡単な説明】
【００１２】
【図１】図１はこの発明の第１実施形態の加熱調理器の扉閉鎖時の概略正面図である。
【図２】図２は上記加熱調理器の扉開放時の概略正面図である。
【図３】図３は上記加熱調理器の主要部の構成を説明するための模式図である。
【図４】図４は図１のIV−IV線から見た横断面図である。
【図５】図５は図１のＶ−Ｖ線から見た縦断面図である。
【図６】図６は上記加熱調理器の底板の上面図である。
【図７】図７は図６のVII−VII線から見た縦断面図である。
【図８】図８は上記底板を斜め下方から見た斜視図である。
【図９】図９は図１のIX−IX線から見た要部の縦断面の斜視図である。
【図１０】図１０は図１のIX−IX線から見た要部の縦断面図である。
【図１１】図１１は上記加熱調理器のタンクカバーを前面側から見た斜視図である。
【図１２】図１２は上記加熱調理器の給水タンクとタンクカバーの縦断面を示す斜視図である。
【図１３】図１３は図５のXIII−XIII線から見たタンクカバーを含む要部の縦断面を示す斜視図である。
【図１４】図１４はこの発明の第２実施形態の加熱調理器のタンクカバーを含む要部の断面を示す斜視図である。
【図１５】図１５はこの発明の第３実施形態の加熱調理器のタンクカバーを含む要部の断面を示す斜視図である。
【発明を実施するための形態】
【００１３】
以下、この発明の加熱調理器を図示の実施の形態により詳細に説明する。
【００１４】
〔第１実施形態〕
図１はこの発明の第１実施形態の加熱調理器の扉閉鎖時の概略正面図を示し、図２は上記加熱調理器の扉開放時の概略正面図を示している。
【００１５】
この第１実施形態の加熱調理器は、図１,図２に示すように、直方体形状の本体ケーシング１と、この本体ケーシング１内に設けられ、前側に開口部２ａを有する加熱室２と、加熱室２の開口部２ａを開閉する扉３と、被加熱物１５が収容される加熱室２内にマイクロ波を供給するマグネトロン(図示せず)とを備えている。
【００１６】
上記本体ケーシング１の上面の後部に排気ダクト５を設けている。また、本体ケーシング１の前面の下部に露受容器６を着脱可能に取り付けている。この露受容器６は、扉３の下側に位置し、扉３の後面(加熱室２側の表面)や本体ケーシング１の前板６０からの水滴を受けることができるようになっている。また、本体ケーシング１の前面の下部には、後述する給水タンク２６も着脱可能に取り付けられている。
【００１７】
上記扉３は、本体ケーシング１の前面側に下側の辺を軸に回動可能に取り付けられている。この扉３の前面(加熱室２とは反対側の表面)には、耐熱性を有する透明な外ガラス７が設けられている。また、扉３は、外ガラス７の上側に位置するハンドル８と、外ガラス７の右側に設けられた操作パネル９とを有している。
【００１８】
上記操作パネル９は、カラー液晶表示部１０およびボタン群１１を有している。このボタン群１１は、途中で加熱を止めるときなどに押す取り消しキー１２と、加熱を開始するときに押すあたためスタートキー１３とを含んでいる。また、操作パネル９には、スマートフォンなどからの赤外線を受ける赤外線受光部１４が設けられている。
【００１９】
上記加熱室２内には被加熱物１５が収容される。また、加熱室２内への金属製の調理トレイ９１,９２(図３に示す)の出し入れが可能になっている。加熱室２の左側部２ｂ,右側部２ｃの内面には、調理トレイ９１を支持する上棚受け１６Ａ,１６Ｂが設けられている。また、加熱室２の右側部２ｃ,左側部２ｂの内面には、上棚受け１６Ａ,１６Ｂよりも下側に位置するように、調理トレイ９２を支持する下棚受け１７Ａ,１７Ｂが設けられている。
【００２０】
図３は、上記加熱調理器の主要部の構成を説明するための模式図である。この図３では、加熱室２は左側から見た状態が示されている。なお、図３において、図１,図２と同一構成部には、同一参照番号を付している。
【００２１】
上記加熱調理器は、循環ダクト１８と、循環ファン１９と、上ヒータ２０と、中ヒータ２１と、下ヒータ２２と、循環ダンパ２３と、チューブポンプ２５と、給水タンク２６および蒸気発生装置７０を備えている。この上ヒータ２０、中ヒータ２１および下ヒータ２２は、それぞれ、例えばシーズヒータから成っている。なお、循環ダクト１８はダクトの一例である。また、循環ダンパ２３はダンパの一例である。また、チューブポンプ２５はポンプの一例であり、この発明はチューブポンプに限らず、駆動方向によって給水動作と排水動作とを切り替え可能なポンプであればよい。
【００２２】
上記加熱室２の上部２ｅは、水平方向に対して傾斜する傾斜部２ｆを介して加熱室２の後部２ｄと連なっている。この傾斜部２ｆに、循環ファン１９と対向するように複数の吸込口２７を設けている(図２参照)。また、加熱室２の上部２ｅに上吹出口２８を複数設けている。また、加熱室２の後部２ｄに、第１後吹出口２９、第２後吹出口３０および第３後吹出口３１を、それぞれ、複数設けている(図２参照)。なお、第１後吹出口２９は吹出口の一例である。また、吸込口２７は３個だけ図３で示している。また、第１後吹出口２９、第２後吹出口３０および第３後吹出口３１は各１個だけ図３で示している。
【００２３】
上記循環ダクト１８は、吸込口２７、上吹出口２８および第１〜第３後吹出口２９〜３１を介して加熱室２内と連通している。この循環ダクト１８は、加熱室２の上側から後側にわたって設けられて、逆Ｌ字形状を呈するように延在している。また、循環ダクト１８の左右方向の幅は、加熱室２の左右方向の幅より狭く設定されている。
【００２４】
上記循環ファン１９は、遠心ファンであって、循環ファン用モータ５６によって駆動される。この循環ファン用モータ５６が循環ファン１９を駆動すると、加熱室２内の空気や飽和蒸気(以下、「空気など」言う)は、吸込口２７から循環ダクト１８内に吸い込まれ、循環ファン１９の径方向外側へ流される。より詳しくは、循環ファン１９の上側では、空気などは、循環ファン１９から斜め上方に流れた後、後方から前方に向かって流れる。一方、循環ファン１９の下側では、空気などは、循環ファン１９から斜め下方に流れた後、上方から下方に向かって流れる。なお、上記空気などは熱媒体の一例である。
【００２５】
上記上ヒータ２０は、循環ダクト１８内に配置され、加熱室２の上部２ｅに対向している。この上ヒータ２０は、上吹出口２８へ流れる空気などを加熱する。
【００２６】
上記中ヒータ２１は、環状に形成され、循環ファン１９を取り囲んでいる。この中ヒータ２１は、循環ファン１９から上ヒータ２０に向かう空気などを加熱したり、循環ファン１９から下ヒータ２２に向かう空気などを加熱したりする。
【００２７】
上記下ヒータ２２は、循環ダクト１８内に配置され、加熱室２の後部２ｄに対向している。この下ヒータ２２は、第２,第３後吹出口３０,３１へ流れる空気などを加熱する。
【００２８】
上記循環ダンパ２３は、循環ダクト１８内かつ中ヒータ２１と下ヒータ２２との間に回動可能に設けられている。この循環ダンパ２３の回動は循環ダンパ用モータ(図示せず)によって行われる。
【００２９】
また、蒸気発生装置７０は、上側開口を有する金属製の蒸気発生容器７１と、その蒸気発生容器７１の上側開口を覆う耐熱性樹脂(例えばＰＰＳ(ポリフェニレンサルファイド)樹脂)からなる蓋部７２と、蒸気発生容器７１の底部７１ａに鋳込まれたシーズヒータから成る蒸気発生用ヒータ７３とを有する。この蒸気発生容器７１の底部７１ａ上には給水タンク２６からの水が溜まり、熱源の一例としての蒸気発生用ヒータ７３が蒸気発生容器７１を介して上記水を加熱する。そして、蒸気発生用ヒータ７３による加熱で発生した飽和蒸気は、樹脂製の蒸気チューブ３５と金属製の蒸気管３６とを流れて、複数の蒸気供給口３７を介して加熱室２内に供給される(図２参照)。なお、図３では、蒸気供給口３７は１個だけを示している。
【００３０】
また、上記加熱室２内の飽和蒸気は、循環ファン１９により上ヒータ２０、中ヒータ２１および下ヒータ２２に送られ、上ヒータ２０、中ヒータ２１および下ヒータ２２で加熱することにより、１００℃以上の過熱蒸気となる。
【００３１】
また、上記蓋部７２には、一対の電極棒７５ａ,７５ｂから成る水位センサ７５が取り付けられている。この電極棒７５ａ,７５ｂの間が導通状態になったか否かに基づいて、蒸気発生容器７１の底部７１ａ上の水位が所定水位になったか否かが判定される。
【００３２】
上記チューブポンプ２５は、シリコンゴム等からなる弾性変形可能な給排水チューブ４０をローラ(図示せず)でしごいて、そのローラの駆動方向によって、給水タンク２６内の水を蒸気発生装置７０に流したり、蒸気発生装置７０内の水を給水タンク２６に流したりする。この給排水チューブ４０は、給水経路の一例である。
【００３３】
上記給水タンク２６は、給水タンク本体４１および連通管４２を有する。この連通管４２の一端部が給水タンク本体４１内に位置する一方、連通管４２の他端部が給水タンク２６外に位置する。給水タンク２６がタンク収納部の一例としてのタンクカバー４３内に収容されると、連通管４２の接続口４２ａがタンクジョイント部４４を介して給排水チューブ４０の一端に接続される。すなわち、給水タンク本体４１内が連通管４２などを介して蒸気発生装置７０内と連通する。
【００３４】
上記チューブポンプ２５と給水タンク２６と給排水チューブ４０とタンクカバー４３とタンクジョイント部４４で給水装置を構成している。
【００３５】
図４は図１のIV−IV線から見た横断面図を示しており、加熱室２よりも下側かつ底板１００上に配置された各構成部を示している。図４中下方が本体ケーシング１の前面側であり、図４中上方が本体ケーシング１の後面側である。図４において、図１〜図３と同一の構成部には同一参照番号を付している。
【００３６】
図４に示すように、本体ケーシング１の前面側に露受容器６を着脱可能に取り付けられている。この露受容器６の後面側に設けられた突起６ａによって、露受容器６の装着時に露受容器検出スイッチＳＷをオンする。
【００３７】
また、本体ケーシング１の前面側かつ右側にタンクカバー４３を配置している。このタンクカバー４３の後面側にタンクジョイント部４４を取り付けている。このタンクジョイント部４４に一端が接続された給排水チューブ４０の他端が、チューブポンプ２５を介して蒸気発生装置７０(図３に示す)に接続されている。
【００３８】
また、底板１００のタンクジョイント部４４近傍にスピーカー８５を取り付けている。このスピーカー８５は、スピーカー８５直下の底板１００に設けられた複数の穴からなる開口部８６(図５,図６に示す)から音声などを出力する。
【００３９】
また、タンクカバー４３の後面側に電源基板１１４を配置している。底板１００の中央部分には、回転アンテナ用モータ５７を取り付けている。また、底板１００の中央かつ後面側にマグネトロン４を取り付けている。
【００４０】
さらに、底板１００の左側に、冷却ファン５５が内蔵されたファンケーシング１１５を取り付けている。このファンケーシング１１５内の後面側(吹出口側)に、インバータ基板１１３に実装された高熱部品が配置されている。さらに、インバータ基板１１３の後面側に、給気ファン５４を有する給気ユニット４００を配置している。
【００４１】
なお、図４において、１１１は底板１００の左側方を覆う左底板カバーであり、１１２は底板１００の右側方を覆う右底板カバーである。
【００４２】
左底板カバー１１１と右底板カバー１１２は共に、本体ケーシング１の前方側の底面に開口を有しており、図８に示すように、その開口に対応する底板１００の両側壁の前方側にも開口を設けている。
【００４３】
上記冷却ファン５５からの冷却空気の一部は、インバータ基板１１３の高熱部品を冷却した後、ファンケーシング１１５の後面側(吹出口側)から吹き出して、マグネトロン４などを冷却する。また、冷却ファン５５からの冷却空気の他の一部は、タンクカバー４３内に収納された給水タンク２６近傍のスピーカー８５の後方から前面側に流れて、耐熱温度(例えば８０℃)が比較的低いスピーカー８５を冷却する。
【００４４】
また、図５は図１のＶ−Ｖ線から見た縦断面図を示している。図５の左側が本体ケーシング１の前面側であり、図５の右側が本体ケーシング１の後面側である。図５において、図１〜図３と同一の構成部には同一参照番号を付している。
【００４５】
図５に示すように、本体ケーシング１内かつ加熱室２と裏面板２００との間に、排気ファン４７を有する排気ユニット３００を配置している。この排気ユニット３００からの排気を排気ダクト５により案内して前方かつ斜め上方に吹き出す。
【００４６】
また、給水タンク２６がタンクカバー４３内に収容されている。このタンクカバー４３内に収容された給水タンク２６の前面側かつ上側に露受容器６の一部が延在している。
【００４７】
また、加熱室２の底トレイ９０の下側に回転アンテナ５８を配置している。この回転アンテナ５８は、回転アンテナ用モータ５７(図４に示す)により回転駆動されて、マグネトロン４(図４に示す)からのマイクロ波を攪拌する。
【００４８】
図６は上記加熱調理器の底板１００の上面図を示して、図７は図６のVII−VII線から見た縦断面図を示し、図８は上記底板１００を斜め下方から見た斜視図を示している。なお、図６,図７では、底板１００の左側に左底板カバー１１１が取り付けられ、底板１００の右側に右底板カバー１１２が取り付けられている。図６において、１０８は底板１００にねじ止めされた蓋である。
【００４９】
底板１００は、図６〜図８に示すように、長方形状の底面部１０１と、その底面部１０１の外周を囲むように立設された周壁部１０２とを有する。また、底板１００の周壁部１０２の前面側の中央に対して右側の領域に、長方形状のタンク挿入口１０３を設けている(図８参照)。このタンク挿入口１０３に、前面側から後面側に向かって給水タンク２６(図５に示す)が挿入される。
【００５０】
上記底板１００は、１枚の板金からプレス機械を用いた絞り加工によって成形されている(中央の蓋１０８を除く)。
【００５１】
上記底板１００内に、タンク挿入口１０３を介して挿入された状態の給水タンク２６に対向する底面部１０１の領域に凹部１０４を設けている。給水タンク２６(図５に示す)に隣接する外側領域、かつ、給水タンク２６と給水経路である給排水チューブ４０(図３に示す)の接続部分または給排水チューブ４０の下側に引水凹部Ａ,Ｂを設けている。この引水凹部Ａは、凹部１０４の左側壁１０６とタンクカバー４３との間の領域に設けられ、引水凹部Ｂは、凹部１０４の後側壁１０７とタンクカバー４３との間の領域に設けられている。
【００５２】
図９は図１のIV−IV線から見た縦断面の斜視図を示しており、図１〜図５と同一の構成部には同一参照番号を付している。
【００５３】
図９に示すように、加熱室２の開口部２ａの周囲に設けられた前板６０の下側に左右方向の略全体に亘って収納部８０を設けている。この収納部８０は、露受容器６の後面側の一部が収納されるように、前板６０の下側前面よりも後面側に凹んでいる(図１０参照)。
【００５４】
上記露受容器６が本体ケーシング１(図１に示す)の下側に取り付けられ、露受容器６の後面側の一部が収納部８０に収納された状態において、露受容器６の下側に給水タンク２６がタンクカバー４３内に収容されている。この給水タンク２６の連通管４２をタンクジョイント部４４を介して給排水チューブ４０(図３に示す)に接続している。
【００５５】
また、図１０は図１のIV−IV線から見た断面図を示している。図１０において、図９と同一の構成部には同一参照番号を付している。
【００５６】
また、図１１は上記加熱調理器のタンクカバー４３を前面側から見た斜視図を示している。図１１に示すように、タンクカバー４３内の底部に凹状の第２貯水部４３ａを設けている。図１１において、１３０は給水タンク２６(図１０に示す)の着脱を検出する給水タンク検出スイッチ(図示せず)をオンオフするためのレバーである。
【００５７】
また、図１２は上記タンクカバー４３内に給水タンク２６が収納された状態の縦断面を示す斜視図を示している。図１２に示すように、給水タンク２６の給水タンク本体４１の下側にタンクカバー４３の第２貯水部４３ａが位置する。給水タンク２６がタンクカバー４３内に収納された状態で、給水タンク２６の連通管４２がタンクジョイント部４４に接続される。また、給水タンク２６の後面(連通管４２側)とタンクカバー４３内の後壁面との間に隙間を設けて、給水タンク２６とタンクジョイント部４４の接続部分から漏れ出た漏水がタンクカバー４３内の底部に流れ落ちる水経路を形成している。
【００５８】
なお、図１３は図５のXIII−XIII線から見たタンクカバー４３を含む要部の縦断面を示す斜視図を示しており、図１〜図５と同一の構成部には同一参照番号を付している。
【００５９】
図１３に示すように、タンクカバー４３内の後壁面に、図１２に示す給水タンク２６の連通管４２の先端が挿入されるタンクジョイント部４４の接続部である接続穴４５を設けている。タンクカバー４３内の後壁面かつタンクジョイント部４４の接続穴４５よりも下側に、左右方向に間隔をあけて後面側に凹んだ凹部４３ｂ,４３ｃを設けている。この凹部４３ｂ,４３ｃで第３貯水部を構成している。
【００６０】
上記第１実施形態では、底板１００にタンクカバー４３を取り付けたが、タンクカバーは加熱室２の下側に取付部材などを用いて取り付けてもよい。
【００６１】
上記構成の加熱調理器によれば、加熱室２の下側に配置された底板１００の周壁部１０２の前面側にタンク挿入口１０３が設けられ、給水タンク２６が前面側からタンク挿入口１０３を介して挿入されることによって、給水タンク２６の下側にある底板１００の底面部１０１で、給水タンク２６からの漏水を受けることができる。
【００６２】
また、上記底板１００内にタンク挿入口１０３を介して挿入された状態の給水タンク２６に隣接する外側領域(この実施形態ではタンクカバー４３の外側領域)、かつ、給水タンク２６と給排水チューブ４０(給水経路)との接続部分および給排水チューブ４０の一部の下側に設けられた底板１００の引水凹部Ａ,Ｂよって、他の箇所に比べて漏水の可能性が高い給水タンク２６と給排水チューブ４０との接続部分および給排水チューブ４０の一部から漏れた水を確実に受けることができる。この引水凹部Ａ,Ｂが底板１００の第１貯水部１０５に漏水を案内する。
【００６３】
また、上記タンク挿入口１０３を介して挿入された状態の給水タンク２６に対向する底板１００の底面部１０１の領域に設けた第１貯水部１０５によって、給水タンク２６から下方に流れ出た漏水を貯めることができる。
【００６４】
また、上記底板１００のタンク挿入口１０３から挿入された給水タンク２６をタンクカバー４３(タンク収納部)に収納する。このタンクカバー４３内の底部に設けた第２貯水部４３ａによって、給水タンク２６からタンクカバー４３内に漏れ出た漏水を貯めることができる。
【００６５】
このタンクカバー４３内の第２貯水部４３ａに貯まった漏水は、自然乾燥させるか、または、ユーザーが拭き取る。
【００６６】
また、上記底板１００のタンク挿入口１０３から挿入された給水タンク２６をタンクカバー４３に収納する。このタンクカバー４３内の後壁面かつタンクジョイント部４４の接続穴４５(接続部)よりも低い位置に設けた凹部４３ｂ,４３ｃ(第３貯水部)によって、給水タンク２６とタンクジョイント部４４の接続部分からタンクカバー４３内に漏れ出た漏水を貯めることができる。ここで、タンクカバー４３内の後壁面には、凹部４３ｂ,４３ｃの上端間を連結する段差を設けることによって、タンクジョイント部４４の接続穴４５から漏れ出た水を凹部４３ｂ,４３ｃに案内している。
【００６７】
〔第２実施形態〕
図１４はこの発明の第２実施形態の加熱調理器のタンクカバー１４３を含む要部の断面を示す斜視図を示している。この第２実施形態のタンクカバー１４３は、第３貯水部を除いて第１実施形態のタンクカバー４３と同一の構成をしている。
【００６８】
この第２実施形態のタンクカバー１４３(タンク収納部)は、図１４に示すように、タンクカバー１４３内の後壁面かつタンクジョイント部４４(図１２に示す)の接続穴４５よりも低い位置に、後面側に凹んだ凹部１４３ｂを設けている。この凹部１４３ｂは、第３貯水部の一例であり、タンクジョイント部４４の接続穴４５の直下に設けられている。
【００６９】
この第３貯水部である凹部１４３ｂによって、タンクカバー１４３内の連通管４２とタンクジョイント部４４との接続部分から漏れた少量の水を第２貯水部１４３ａよりも先に確実に受けて貯めることができる。
【００７０】
この第２実施形態の加熱調理器は、第１実施形態の加熱調理器と同様の効果を有する。
【００７１】
〔第３実施形態〕
図１５はこの発明の第３実施形態の加熱調理器のタンクカバー２４３を含む要部の断面を示す斜視図を示している。この第３実施形態のタンクカバー２４３は、第３貯水部を除いて第２実施形態のタンクカバー１４３と同一の構成をしている。
【００７２】
この第３実施形態のタンクカバー２４３(タンク収納部)は、図１５に示すように、タンクカバー２４３内の後壁面かつタンクジョイント部４４(図１２に示す)の接続穴４５よりも低い位置に、後面側に凹んだ凹部２４３ｂを設けている。
【００７３】
この凹部２４３ｂは、第３貯水部の一例であり、第２実施形態のタンクカバー１４３の凹部１４３ｂよりも幅が広くなっている。この第３貯水部である凹部２４３ｂによって、タンクカバー２４３内の連通管４２とタンクジョイント部４４との接続部分から漏れた少量の水を第２貯水部２４３ａよりも先に確実に受けて貯めることができ、幅広の凹部２４３ｂにより第２実施形態よりも漏水をより多く保持できる。
【００７４】
この第３実施形態の加熱調理器は、第１実施形態の加熱調理器と同様の効果を有する。
【００７５】
上記第１〜第３実施形態では、給水タンク２６を収納するタンク収納部としてのタンクカバー４３,１４３,２４３を備えた加熱調理器について説明したが、タンク収納部はなくともよく、給水タンクが底板内に収納される構成であればよい。
【００７６】
この発明の具体的な実施の形態について説明したが、この発明は上記第１〜第３実施形態に限定されるものではなく、この発明の範囲内で種々変更して実施することができる。
【００７７】
この発明および実施形態をまとめると、次のようになる。
【００７８】
この発明の加熱調理器は、
被加熱物を加熱するための加熱室２と、
上記加熱室２に供給する蒸気を発生する蒸気発生装置７０と、
上記蒸気発生装置７０に供給するための水を貯える給水タンク２６と、
上記加熱室２の下側に配置され、矩形状の底面部１０１とその底面部１０１の外周を囲むように立設された周壁部１０２を有する底板１００と
を備え、
上記底板１００の上記周壁部１０２の前面側に、上記給水タンク２６が挿入可能なタンク挿入口１０３を設けたことを特徴とする。
【００７９】
上記構成によれば、加熱室２の下側に配置された底板１００の周壁部１０２の前面側にタンク挿入口１０３が設けられ、給水タンク２６が前面側からタンク挿入口１０３を介して底板１００内に挿入されることによって、給水タンク２６の下側にある底板１００の底面部１０１で、給水タンク２６からの漏水を受けることができる。
【００８０】
また、一実施形態の加熱調理器では、
上記底板１００内に上記タンク挿入口１０３を介して挿入された上記給水タンク２６の接続口４２ａに一端が接続される給水経路４０を備え、
上記底板１００は、
上記タンク挿入口１０３を介して挿入された状態の上記給水タンク２６に隣接する外側領域、かつ、上記給水タンク２６と上記給水経路４０との接続部分または上記給水経路４０の少なくとも一方の下側に設けられた引水凹部Ａ,Ｂを有する。
【００８１】
上記実施形態によれば、底板１００内にタンク挿入口１０３を介して挿入された状態の給水タンク２６に隣接する外側領域、かつ、給水タンク２６と給水経路４０との接続部分または給水経路４０の少なくとも一方の下側に設けられた底板１００の引水凹部Ａ,Ｂによって、他の箇所よりも漏水の可能性が高い給水タンク２６と給水経路４０との接続部分(または給水経路４０)から漏れた水を確実に受けることができる。
【００８２】
また、一実施形態の加熱調理器では、
上記底板１００は、
上記タンク挿入口１０３を介して挿入された状態の上記給水タンク２６に対向する上記底面部１０１の領域内に設けられた第１貯水部１０５を有する。
【００８３】
上記実施形態によれば、タンク挿入口１０３を介して挿入された状態の給水タンク２６に対向する底板１００の底面部１０１の領域に第１貯水部１０５を設けることによって、給水タンク２６から下方に流れ出た漏水を貯めることができる。
【００８４】
また、一実施形態の加熱調理器では、
上記底板１００内に上記タンク挿入口１０３を介して挿入された上記給水タンク２６を収納するタンク収納部４３,１４３,２４３を備え、
上記タンク収納部４３,１４３,２４３内の底部に第２貯水部４３ａ,１４３ａ,２４３ａを設けた。
【００８５】
上記実施形態によれば、底板１００のタンク挿入口１０３から挿入された給水タンク２６をタンク収納部４３,１４３,２４３に収納する。このタンク収納部４３,１４３,２４３内の底部に設けた第２貯水部４３ａ,１４３ａ,２４３ａによって、給水タンク２６からタンク収納部４３,１４３,２４３内に漏れ出た漏水を貯めることができる。この第２貯水部４３ａ,１４３ａ,２４３ａに貯まった漏水は、自然乾燥させてもよいし、ユーザーが拭き取ってもよい。
【００８６】
また、一実施形態の加熱調理器では、
上記底板１００内に上記タンク挿入口１０３を介して挿入された上記給水タンク２６を収納するタンク収納部４３,１４３,２４３を備え、
上記タンク収納部４３,１４３,２４３内の後壁面に、上記給水タンク２６の接続口４２ａが接続される接続部４５を設けると共に、
上記タンク収納部４３,１４３,２４３内の後壁面かつ上記接続部４５よりも低い位置に第３貯水部４３ｂ,４３ｃ,１４３ｂ,２４３ｂを設けた。
【００８７】
上記実施形態によれば、底板１００のタンク挿入口１０３から挿入された給水タンク２６をタンク収納部４３,１４３,２４３に収納する。このタンク収納部４３,１４３,２４３内の後壁面かつ接続部４５よりも低い位置に設けた第３貯水部４３ｂ,４３ｃ,１４３ｂ,２４３ｂによって、給水タンク２６からタンク収納部４３,１４３,２４３内に漏れ出た漏水を貯めることができる。
【符号の説明】
【００８８】
１…本体ケーシング
２…加熱室
２ａ…開口部
３…扉
４…マグネトロン
５…排気ダクト
６…露受容器
７…外ガラス
８…ハンドル
９…操作パネル
１０…カラー液晶表示部
１１…ボタン群
１２…取り消しキー
１３…スタートキー
１４…赤外線受光部
１５…被加熱物
１６Ａ,１６Ｂ…上棚受け
１７Ａ,１７Ｂ…下棚受け
１８…循環ダクト
１９…循環ファン
２０…上ヒータ
２１…中ヒータ
２２…下ヒータ
２３…循環ダンパ
２５…チューブポンプ
２６…給水タンク
２７…吸込口
２８…上吹出口
２９…第１後吹出口
３０…第２後吹出口
３１…第３後吹出口
３５…蒸気チューブ
３６…蒸気管
３７…蒸気供給口
４０…給排水チューブ
４１…給水タンク本体
４２…連通管
４２ａ…接続口
４３,１４３,２４３…タンクカバー
４３ａ,１４３ａ,２４３ａ…第２貯水部
４３ｂ,４３ｃ, １４３ｂ,２４３ｂ…凹部
４４…タンクジョイント部
４５…接続穴
４８…強制排気口
５０…給気口
５４…給気ファン
５５…冷却ファン
５６…循環ファン用モータ
５７…回転アンテナ用モータ
５８…回転アンテナ
６０…前板
７０…蒸気発生装置
７１…蒸気発生容器
７１ａ…底部
７２…蓋部
７３…蒸気発生用ヒータ
７５…水位センサ
７５ａ,７５ｂ…電極棒
８０…収納部
８５…スピーカー
９０…底トレイ
９１,９２…調理トレイ
１００…底板
１０１…底部
１０２…周壁部
１０３…タンク挿入口
１０４…凹部
１０５…第１貯水部
１０６…左側壁
１０７…後側壁
１０８…蓋
１１１…左底板カバー
１１２…右底板カバー
１１３…インバータ基板
１１４…電源基板
１１５…ファンケーシング
１３０…レバー
２００…裏面板
３００…排気ユニット
４００…給気ユニット
Ａ,Ｂ…引水凹部
ＳＷ…露受容器検出スイッチ
【図１】
0006349187.tif 000002
【図２】
0006349187.tif 000003
【図３】
0006349187.tif 000004
【図４】
0006349187.tif 000005
【図５】
0006349187.tif 000006
【図６】
0006349187.tif 000007
【図７】
0006349187.tif 000008
【図８】
0006349187.tif 000009
【図９】
0006349187.tif 000010
【図１０】
0006349187.tif 000011
【図１１】
0006349187.tif 000012
【図１２】
0006349187.tif 000013
【図１３】
0006349187.tif 000014
【図１４】
0006349187.tif 000015
【図１５】
0006349187.tif 000016